(57)【要約】      （修正有）【課題】照明用の白色ＬＥＤを冷蔵庫庫内に設置する場合には、白色ＬＥＤの光源付近が明るくなり、均一な庫内照射ができない。また、ランプカバーを取付けた場合でも、カバーが斑状に見え、視認性が悪いという課題がある。【解決手段】白色ＬＥＤ２を冷蔵室６の縦方向に、複数個を実装基板１に実装し冷蔵室６内に設置して、実装基板１を覆うランプカバー１１裏面を白色ＬＥＤ２より前方を横波形状とし、後方を縦波系形状することにより、手前に照射する光を上下方向に拡散することで光源が使用者の目に直接入ることを防止し、冷蔵庫奥方向、すなわち室内の保存物を照射するためには、縦波形状により、照射光を左右に拡散することによって、冷蔵室を均一な照度に保つことができる。【選択図】図３
2008039358.tif 000002
【特許請求の範囲】
【請求項１】
貯蔵室内を照射するＬＥＤを縦方向に複数個実装した実装基板と、前記ＬＥＤからの発光部の前方全体を覆う透明樹脂製ランプカバーとを有する照明装置を備えた冷蔵庫において、前記照明装置を貯蔵室壁面に配置し、前記透明樹脂製ランプカバーのＬＥＤと対向する面に凸形状を形成するもので、前記凸形状は複数の異なる方向に連続形成することを特徴とする冷蔵庫。
【請求項２】
複数の異なる方向に連続形成する前記凸形状は、上下方向と水平方向としたことを特徴とする請求項１に記載の冷蔵庫。
【請求項３】
前記照明装置を貯蔵室側壁面に配置し、前記透明樹脂製ランプカバーの前方手前側に水平方向の凸形状を、後方奥側に上下方向の凸形状を形成したことを特徴とする請求項２に記載の冷蔵庫。
【請求項４】
前記透明樹脂製ランプカバーの前方手前側を半透明とし、後方奥側を透明としたことを特徴とする請求項３に記載の冷蔵庫。
【請求項５】
貯蔵室内を照射するＬＥＤを縦方向に複数個実装した実装基板と、前記ＬＥＤからの発光部の前方全体を覆う透明樹脂製ランプカバーとを有する照明装置を備えた冷蔵庫において、前記照明装置を貯蔵室壁面に配置し、前記透明樹脂製ランプカバーのＬＥＤと対向する面に角錐形の凸形状を形成することを特徴とする冷蔵庫。
【請求項６】
前記照明装置を貯蔵室壁面の凹部に配設したことを特徴とする請求項１から５のいずれか一項に記載の冷蔵庫。
【発明の詳細な説明】
【技術分野】
【０００１】
本発明は、ＬＥＤを用いた照明装置を貯蔵室内に設置した冷蔵庫に関するものである。
【背景技術】
【０００２】
近年、冷蔵庫の貯蔵室内照明装置として、従来の白熱灯や電球に変わり、発熱性が低い、赤外波長がでない、低電圧駆動できる等の理由で白色ＬＥＤを用いるものが提案されている。
【０００３】
従来の白色ＬＥＤを照明装置として利用した冷蔵庫としては、複数の白色ＬＥＤを一枚の基板に実装し、庫内天面に設置して庫内照射しているものがある（例えば、特許文献１参照）。
【０００４】
図６は特許文献１に記載された従来の冷蔵庫の照明装置の斜視図を示すものである。
【０００５】
図６に示すように、実装基板１０１と、白色ＬＥＤ１０２と、断熱板１０４とを有して構成されて、冷蔵庫の貯蔵室内に設置される。
【０００６】
実装基板１０１は平板状で、一面または両面に回路パターン（図示せず）が形成され、熱伝導性の良好なエポキシ樹脂系の基板や絶縁金属基板を使用する。白色ＬＥＤ１０２は砲弾状に形成され、電流を通電する２本の通電端子１０３が導出される。
【０００７】
断熱板１０４は、ウレタン等の樹脂により平板状に形成され、複数の挿通孔が並設されて、実装基板１と白色ＬＥＤ１０２との間に設けられる。ここで、白色ＬＥＤ１０２は通電端子１０３が断熱板１０４の挿通孔に挿通され、実装基板１０１の回路パターンに半田付けされて実装され、複数個が実装基板１０１に並設される。尚、白色ＬＥＤ１０２の発熱量が少ない場合には、断熱板１０４は廃止しても構わない。
【０００８】
以上のように構成された白色ＬＥＤを照明装置として利用した冷蔵庫について、以下その動作を説明する。
【０００９】
まず、冷蔵庫の扉が閉まっている時には、白色ＬＥＤ１０２への通電は行なわず、庫内は照射されていない。扉が開けられると、機械式スイッチやホールＩＣ等の電子式スイッチで開扉状態と判断され、実装基板１０１に直流電圧が印加され、通電端子１０３を通して白色ＬＥＤ１０２に順方向電流が流れて、白色光が発光されて庫内が照射される。
【特許文献１】特開平１１−１５９９５３号公報
【発明の開示】
【発明が解決しようとする課題】
【００１０】
しかしながら、上記従来の構成では、白色ＬＥＤ１０２には一定の指向角度があり、このままの構成で庫内に取り付けた場合、スポット的な照射は可能であるが、庫内全体を均一に照らすことはできない。また、ランプカバーを単純に付けた場合でも、白色ＬＥＤ１０２の光源付近の部分が明るくなり、ランプカバーが斑状に見えるため、視認性が劣ってしまうという課題を有していた。
【００１１】
本発明は、上記従来の課題を解決するもので、ランプカバーを均一に発光させて視認性をあげ、庫内を均一に照射できる冷蔵庫を提供することを目的とする。
【課題を解決するための手段】
【００１２】
上記従来の課題を解決するために、本発明の冷蔵庫は、貯蔵室内を照射するＬＥＤを縦方向に複数個実装した実装基板と、前記ＬＥＤからの発光部の前方全体を覆う透明樹脂製ランプカバーとを有する照明装置を備えた冷蔵庫において、前記照明装置を貯蔵室壁面に配置し、前記透明樹脂製ランプカバーのＬＥＤと対向する面に凸形状を形成するもので、前記凸形状は複数の異なる方向に連続形成するものである。
【００１３】
これによって、ＬＥＤから発光された光が、ランプカバー裏面の複数の異なる方向に連続形成した凸形状の先端を伝って拡散され、光源ムラを低減するとともに、光を屈曲させ庫内の隅々まで照らすことが出来る。
【発明の効果】
【００１４】
本発明の冷蔵庫は、透明樹脂製ランプカバーのＬＥＤと対向する面に複数の異なる方向に連続形成する凸形状を有することにより、庫内を照射するランプカバー内の白色ＬＥＤの斑状の発光をなくすことができ、均一な発光面で庫内照射できるので視認性を向上させることができる。
【発明を実施するための最良の形態】
【００１５】
請求項１に記載の発明は、貯蔵室内を照射するＬＥＤを縦方向に複数個実装した実装基板と、前記ＬＥＤからの発光部の前方全体を覆う透明樹脂製ランプカバーとを有する照明装置を備えた冷蔵庫において、前記照明装置を貯蔵室壁面に配置し、前記透明樹脂製ランプカバーのＬＥＤと対向する面に凸形状を形成するもので、前記凸形状は複数の異なる方向に連続形成するものであり、ＬＥＤの発光がランプカバー裏面の凸形状の先端を伝って光は拡散され、斑状の発光がない均一な発光面で庫内照射ができ、視認性を高めることができる。
【００１６】
請求項２に記載の発明は、請求項１に記載の発明において、複数の異なる方向に連続形成する前記凸形状は、上下方向と水平方向としたものであり、ＬＥＤからの光が上下方向と水平方向に拡散されるので、さらに均一な発光面で庫内照射ができ、視認性を高めることができる。
【００１７】
請求項３に記載の発明は、請求項２に記載の発明において、前記照明装置を貯蔵室側壁面に配置し、前記透明樹脂製ランプカバーの前方手前側に水平方向の凸形状を、後方奥側に上下方向の凸形状を形成したものであり、前記貯蔵室前方に照射された光を上下方向に拡散し、使用者の目に直接入らないようすると共に、前記貯蔵室後方に照射された光を減衰することなく貯蔵室後方に照射することが可能となり、さらに視認性を高めることができる。
【００１８】
請求項４に記載の発明は、請求項３に記載の発明において、前記透明樹脂製ランプカバーの前方手前側を半透明とし、後方奥側を透明としたものであり、前方に照射される光の拡散性をさらに向上し、光源ムラを低減することができる。
【００１９】
請求項５に記載の発明は、貯蔵室内を照射するＬＥＤを縦方向に複数個実装した実装基板と、前記ＬＥＤからの発光部の前方全体を覆う透明樹脂製ランプカバーとを有する照明装置を備えた冷蔵庫において、前記照明装置を貯蔵室壁面に配置し、前記透明樹脂製ランプカバーのＬＥＤと対向する面に角錐形の凸形状を形成するものであり、ダイヤカット模様による光拡散により、照射光線が反射・屈折あるいは拡散・集光などによって導光され、立体感のある見栄えの良好な照明装置とすることができる。
【００２０】
請求項６に記載の発明は、請求項１から５のいずれか一項に記載の発明において、前記照明装置を貯蔵室壁面の凹部に配設したものであり、貯蔵室内のスペースを有効に活用することができる。
【００２１】
以下、本発明の実施の形態について、図面を参照しながら説明する。尚、この実施の形態によってこの発明が限定されるものではない。
【００２２】
（実施の形態１）
図１は、本発明の実施の形態１における冷蔵庫の扉を開けた状態の正面図である。図２は、同実施の形態における図１のＡ−Ａ断面図である。図３は、同実施の形態における冷蔵庫の照明装置の断面図である（図２のＢ−Ｂ断面図）。図４は同実施の形態における冷蔵庫の照明装置の断面図である。図５は、同実施の形態における冷蔵庫の照明装置の主要部拡大図である。
【００２３】
図１及び図２において、断熱材で周囲と断熱して構成されている冷蔵庫本体５は複数の区画に区分された貯蔵室を形成しており、最上部の貯蔵室を冷蔵室６、冷蔵室６の直下には断熱されて仕切壁よって区画された製氷室７と切替室８を横並びで配置している。最下段の貯蔵室は冷凍室１０、そして製氷室７及び切替室８と冷凍室１０との間には野菜室９が配置される構成となっている。なお、各貯蔵室の前面にはそれぞれ断熱扉を有し、冷蔵室６の断熱扉はヒンジ式の回転扉とし、図示しないドアスイッチを有している。
【００２４】
冷蔵室６内には、保存物を重ならず整理して保存するための複数の収納棚１２が設けられ、一部は上下に可動にできるように構成されている。最下段には前面に専用扉を有する特定低温室１３が設けられ、消費者は選定した特定保存物を最適な温度で保存する。
【００２５】
また、冷蔵室６の室内側壁には扉開放前面から見て左右に、それぞれ実装基板１が複数の収納棚１２に跨って埋設されており、実装基板１の上面はランプカバー１１で覆われている。
【００２６】
次に、図３および４において、本実施の形態においては、白色ＬＥＤ２は冷蔵室６の縦方向に複数個、任意の間隔で実装基板１に実装されている。実装基板１は冷蔵庫側壁１４の室内側凹部にスペーサー１５によって保持されており、白色ＬＥＤ２の発光部から一定の距離をおいて、ランプカバー１１が白色ＬＥＤ２の発光部全体を覆うように冷蔵庫側壁１４の室内側凹部に装着されている。
【００２７】
また、ランプカバー１１の裏面の白色ＬＥＤ２側の面には、白色ＬＥＤ２と対向する面に、複数の異なる方向に連続形成した凸形状を形成している。具体的には、透明樹脂製ランプカバー１１の前方手前側に水平方向の凸形状を、後方奥側に上下方向の凸形状を形成している。
【００２８】
また、透明樹脂製ランプカバーの前方手前側の水平方向の凸形状を有する面を半透明とし、後方奥側を上下方向の凸形状を有する面を透明としている。
【００２９】
以上のように構成された冷蔵庫について、以下その動作、作用を図５の照明装置の主要部拡大図を用いて説明する。
【００３０】
基本動作として、ドアスイッチを介して冷蔵室６内を白色ＬＥＤ２で照明する場合には、通電端子３を通して複数の白色ＬＥＤ２に順方向電流を流して発光させ、この白色光がランプカバー１１に進光して、ランプカバー１１で拡散されて冷蔵室６内が照射されることになる。
【００３１】
具体的に説明すると、透明樹脂製ランプカバー１１の前方手前側に水平方向の凸形状を有する部分では、白色ＬＥＤ２ａから光量Ａの光がカバー凸部１１ａに進入すると、凸部１１ａに対応するランプカバー１１の冷蔵室側の発光面は、照射量Ａで室内を照射する。この時、光量Ａは同時に凸部１１ａで拡散され、凸部１１ｂへ光量がＡの０．７倍となった光が進入され、同様に凸部１１ｂから凸部１１ｃへ光量がＡの０．３倍となった光が進入する。尚、この時のカバー横波凸部での光量減衰量は、凸部１１ａ〜ｃの距離を変更することで任意に設定できる。この様に、光はカバー凸部からランプカバー１１の発光面へ進光すると同時に、カバー凸部を伝って拡散されることになる。
【００３２】
次に、白色ＬＥＤ２ｂから光量Ｂの光がカバー凸部１１ｄに進入する場合には、凸部１１ｄに対応するランプカバー１１の冷蔵室側の発光面は、照射量Ｂで室内を照射する。この時、光量Ｂは同時に凸部１１ｄで拡散され、凸部１１ｃ及び１１ｅへ光量がＢの０．７倍となった光が進入され、同様に凸部１１ｃから１１ｂ、凸部１１ｅから１１ｆへそれぞれ光量がＢの０．３倍となった光が進入する。
【００３３】
ここで、凸部１１ｂに対応するランプカバー１１の冷蔵室側の発光面をみると、白色ＬＥＤ２ａからの拡散光量０．７Ａと、白色ＬＥＤ２ｂからの拡散光量０．３Ｂを合わせた値すなわち〔０．７Ａ＋０．３Ｂ〕の照射量で室内は照射される。
【００３４】
以下、白色ＬＥＤ２ｃについても同様に考え、各カバー凸部１１ｃ〜ｈに対応するランプカバー１１の冷蔵室側の発光面の照射量を算出すると、凸部１１ｃ部では〔０．３Ａ＋０．７Ｂ〕、凸部１１ｄ部では〔Ｂ〕、凸部１１ｅ部では〔０．７Ｂ＋０．３Ｃ〕、凸部１１ｆ部では〔０．３Ｂ＋０．７Ｃ〕、凸部１１ｇ部では〔Ｃ〕、凸部１１ｈ部では〔０．７Ｃ＋０．３Ｄ〕となる。この時、各白色ＬＥＤ２ａ〜ｃに同じ順電流を流して、光量Ａ＝光量Ｂ＝光量Ｃとすることにより、各カバー凸部１１ａ〜ｈに対応するランプカバー１１の冷蔵室６側の発光面の照射量は同値となり、均一な面発光で冷蔵室６内は照射される。
【００３５】
また、透明樹脂製ランプカバー１１の後方奥側に上下方向の凸形状を有する部分では、上記拡散作用が前後方向の拡散として均一化される。
【００３６】
以上のように、本実施の形態においては、冷蔵庫前方手前側すなわち、使用者の近傍では、光を上下に拡散させることにより、白色ＬＥＤ２の光源が直接目に入ることを防止し、冷蔵庫後方奥側、すなわち室内の保存物を照射する側では、照射光を左右に拡散することによって、冷蔵室を均一な照度に保つことができる。
【００３７】
なお、本実施の形態に限定されるものではなく、例えば透明樹脂製ランプカバー１１のＬＥＤと対向する面に角錐形の凸形状（ダイヤカット模様）を形成してもよい。この場合、照射光線を上下左右に拡散させ、反射・屈折あるいは拡散・集光などによって導光され、立体感のある見栄えの良好な照明装置とすることができる。
【００３８】
また、本実施の形態では、照明装置の光源として白色ＬＥＤで説明したが、白色に限定するものではなく、可視光領域のＬＥＤであればよいことはもちろんである。
【産業上の利用可能性】
【００３９】
以上のように、本発明にかかる冷蔵庫は、家庭用又は業務用冷蔵庫にＬＥＤの照明を適用する場合に適用できるので、扉のある物品貯蔵装置などＬＥＤ照明を適用する幅広い設備機器に応用できるものである。
【図面の簡単な説明】
【００４０】
【図１】本発明の実施の形態１における冷蔵庫の扉を開けた状態の正面図
【図２】本発明の実施の形態１における冷蔵庫の図１のＡ−Ａ断面図
【図３】本発明の実施の形態１における冷蔵庫の照射装置の断面図（図２のＢ−Ｂ断面図）
【図４】本発明の実施の形態１における冷蔵庫の照射装置の断面図（図２のＣ−Ｃ断面図）
【図５】本発明の実施の形態１における冷蔵庫の照明装置の主要部拡大図
【図６】従来の冷蔵庫の照明装置の斜視図
【符号の説明】
【００４１】
１    実装基板
２    白色ＬＥＤ
５    冷蔵庫本体
６    冷蔵室
１１  ランプカバー
１１ａ，１１ｂ，１１ｃ，１１ｄ，１１ｅ，１１ｆ，１１ｇ，１１ｈ  カバー凸部
１４  冷蔵室側壁
【図１】
2008039358.tif 000003
【図２】
2008039358.tif 000004
【図３】
2008039358.tif 000005
【図４】
2008039358.tif 000006
【図５】
2008039358.tif 000007
【図６】
2008039358.tif 000008